(57)【要約】【課題】  構成の簡単な大小ディスク再生装置を提供すること。【解決手段】大小ディスク再生装置において、一対のディスクセンサ１４、１５の回動軸心線は、ターンテーブル６の軸心線およびディスク挿入方向に直交する直線３５とこの直線に平行でターンテーブルの外周にディスク挿入口９側で接する接線３６との間に位置付け、各ディスクセンサの他端をターンテーブルより奥まで延長させて該他端に前記小径ディスクストッパ２１を形成し、各ディスクセンサと支持板１２とに、ディスクセンサが大径ディスク２９の挿入によって多量に回動した際に互いに摺接する接触部１４ｄ、１５ｄと案内部１３ａとをそれぞれ設けた。【選択図】図４
2005063671.tif 000002
【特許請求の範囲】
【請求項１】
ターンテーブル６の軸心線に沿ってクランパ７側を上方とし、ディスク挿入口９を手前側とするとき、
ディスク挿入口からターンテーブルの上方にわたって配置されクランパが通過する開口を有すると共に下面側をディスク挿入通路とする支持板１２と、ターンテーブルの左右において前記支持板に回動自在に取付けられディスク挿入口近傍まで延長された一端にディスク検出部１４ａ、１５ａを有する一対のディスクセンサ１４、１５と、前記一対のディスク検出部間がディスク挿入口より挿入されたディスクの外周によって押し広げられたとき一対のディスクセンサを同期回動させる同期機構と、小径ディスク２８が前記一対のディスクセンサを回動させながらディスク挿入口より挿入されたとき該小径ディスクをターンテーブルとクランパとで挟持可能な位置に留める小径ディスクストッパ２１と、大径ディスク２９がディスク挿入口より挿入されたとき小径ディスク挿入時より両ディスクセンサを多量に回動させ小径ディスクストッパを大径ディスクの挿入通路から退避させるストッパ退避機構と、挿入された大径ディスクをターンテーブルとクランパとで挟持可能な位置に留める大径ディスクストッパ２２とを具備した大小ディスク再生装置において、
各ディスクセンサの回動軸心線を、ターンテーブルの軸心線およびディスク挿入方向に直交する直線３５とこの直線に平行でターンテーブルの外周にディスク挿入口側で接する接線３６との間に位置付け、各ディスクセンサの他端をターンテーブルより奥まで延長させて該他端に前記小径ディスクストッパを形成し、各ディスクセンサと前記支持板とに、ディスクセンサが大径ディスクの挿入によって多量に回動した際に互いに摺接する接触部１４ｄ、１５ｄと案内部１３ａとをそれぞれ設け、これら接触部と案内部とで前記ストッパ退避機構を構成したことを特徴とする大小ディスク再生装置。
【請求項２】
互いに噛合する一対の連動ギヤ３７、３８を前記支持板に回転自在に取付けると共に、各ディスクセンサに各連動ギヤと噛合する円弧ギヤ部３９、４０を形成し、これら一対の連動ギヤと両ディスクセンサの円弧ギヤ部とで前記同期機構を構成したことを特徴とする請求項１に記載の大小ディスク再生装置。
【請求項３】
前記案内部は、支持板の一部を突出させて形成したことを特徴とする請求項１に記載の大小ディスク再生装置。
【請求項４】
前記ディスクセンサは、接触部が案内部に摺接したとき弾性変形して各小径ディスクストッパを大径ディスクの挿入通路から退避させることを特徴とする請求項１に記載の大小ディスク再生装置。
【請求項５】
前記支持板を、ディスクを案内するディスクガイド部材としたことを特徴とする請求項１に記載の大小ディスク再生装置。
【発明の詳細な説明】
【技術分野】
【０００１】
本発明は、大径ディスクと小径ディスクのいずれも再生可能な大小ディスク再生装置に関する。
【背景技術】
【０００２】
大径ディスクと小径ディスクのいずれも再生可能な大小ディスク再生装置にあっては、小径ディスクが挿入されたとき該小径ディスクをターンテーブルとクランパとで挟持可能な位置に留める小径ディスクストッパと、大径ディスクが挿入されたとき該大径ディスクをターンテーブルとクランパとで挟持可能な位置に留める大径ディスクストッパとを設けている。この場合、大径ディスクが挿入されたとき、小径ディスクストッパを大径ディスクの挿入通路から退避させる必要がある。
小径ディスクストッパを退避させる手段としては、ターンテーブル上方に設けられる支持板に、前記ターンテーブルの左右において一対のディスクセンサを回動自在に取付け、各ディスクセンサの回動により連動板を進退移動させ、この連動板の進退移動によって小径ディスクストッパを大径ディスクの挿入通路に対して出没させる構成が知られている。
【発明の開示】
【発明が解決しようとする課題】
【０００３】
以上のストッパ退避手段は、一対のディスクセンサの他に、各一対の連動板および小径ディスクストッパを有し、しかも、これらディスクセンサ、連動板および小径ディスクストッパの三者を関連動作させるために複雑な構成となっており、大小ディスク再生装置自体が複雑な構成となっていた。
本発明は、このような問題を解決するためになされたもので、構成が簡単な大小ディスク再生装置を提供することを目的とする。
【課題を解決するための手段】
【０００４】
本発明は、支持板に一対のディスクセンサを回動自在に取付けてこれらのディスクセンサの各一端にディスク当接部を設けると共に、各他端に小径ディスクストッパを設けるものとする。また、各ディスクセンサには接触部、支持板には各接触部に対応する案内部を設けて、ディスクセンサが大径ディスクの挿入により多量に回動した際に接触部と案内部とを摺接させて、小径ディスクストッパを大径ディスクの挿入通路から退避させるものとする。
【０００５】
さらに、前記各ディスクセンサの回動軸心線は、ターンテーブルの軸心線およびディスク挿入方向に直交する直線と、この直線に平行でターンテーブルの外周にディスク挿入口側で接する接線との間に位置付けるものとする。
【０００６】
両ディスクセンサを同期回動させる同期機構は、前記支持板に回転自在に取付けられた互いに噛合する一対の連動ギヤと、各ディスクセンサに形成され各連動ギヤと噛合するギヤ部とで構成するとよい。
【０００７】
また、前記支持板に設けられる案内部を、支持板の一部を突出させて形成するとよい。
【０００８】
前記ディスクセンサは、接触部が案内部に摺接したとき弾性変形して小径ディスクストッパを大径ディスクの挿入通路から退避させるようにするとよい。
【０００９】
前記支持板は、ディスクを案内するディスクガイド板としてもよい。
【発明の効果】
【００１０】
本発明によれば、小径ディスクストッパをディスクセンサの他端に設けたことにより、ディスクセンサと小径ディスクストッパを一体化できると共に、連動板も省略できるので部品点数を削減できる。しかも、ディスクセンサ、小径ディスクストッパおよび連動板の三者を関連動作させるための複雑な構成が不要となり、構成を簡単にすることができる。
【００１１】
また、単に小径ディスクストッパをディスクセンサの他端に設けただけでは、大径ディスクの挿入により両ディスクセンサが回動したとき、小径ディスクストッパが左右方向に大きく移動して再生装置の幅寸法が大きくなることが懸念される。  ところが、ディスクセンサの回動軸心線を従来装置より奥に位置付けたことにより、回動軸心線からディスク検出部までの長さが長くなるのでディスクセンサの最大回動角度は小さくなり、加えて回動軸心線から小径ディスクストッパまでの長さが短くなるので、小径ディスクストッパの移動量を小さく抑えることができ、車載用の大小ディスク再生装置にも適用可能となる。
【００１２】
なお、小径ディスク挿入時と大径ディスク挿入時とで小径ディスクストッパの移動量が相違することを利用して、大径ディスク挿入時のみ小径ディスクストッパを大径ディスク挿入通路から退避させるようにしているので、ディスクセンサの回動軸心線の位置を小径ディスクストッパに近づけ過ぎると、小径ディスクストッパの回動量が小さくなり過ぎて小径ディスクストッパを退避させるための構成が困難となる。従って、各ディスクセンサの回動軸心線をターンテーブルの軸心線およびディスク挿入方向に直交する直線とこの直線に平行でターンテーブルの外周にディスク挿入口側で接する接線との間に位置付けることが望ましい。
【００１３】
また、一対の連動ギヤと、各ディスクセンサに形成されるギヤ部とで同期機構を構成したことにより、一対の連動ギヤを支持板に取付けるだけで同期機構を容易に組立てることができる。
【００１４】
また、支持板側の案内部を突出させて形成したことにより、支持板の一部を切起こして案内部を容易に形成することができる。
【００１５】
接触部が案内部に摺接したとき弾性変形して小径ディスクストッパを大径ディスク挿入通路から退避させるようにすると、ディスクセンサの強度を損なうことなく、小径ディスクストッパ近傍のみ薄く形成すればよい。また、小径ディスクストッパを有する他端部のみを板ばね等で形成することも可能となる。
【００１６】
案内するための既存のディスクガイド部材を支持板として使用すると、部品点数の増加を抑えることができ、構成を簡素化できる。
【発明を実施するための最良の形態】
【００１７】
本発明の第１の実施の形態について図１〜図８に亘って説明する。図１は車載用の大小ディスク再生装置２を示す斜視図で、大小ディスク再生装置２は仮想線で示すキャビネット1の内部に組み込まれている。ディスク再生装置２の、外シャーシ3内部には図示しないダンパを介してサブシャーシ5が組み込まれている。サブシャーシ5には中央部にターンテーブル6が取付けられると共に、図示しないピックアップがサブシャーシ５のコーナに向けて移動自在に取付けられている。ターンテーブル６の上方にはクランパ7が配置され、ターンテーブル６とクランパ7とでディスク28、29を挟持するようにしている。
クランパ7は取付板8に回転自在に支持されており、図示しないクランパ駆動機構で取付板8を回動させて、クランパ7をターンテーブル6に対して接離させるようにしている。
【００１８】
キャビネット1にはディスクを挿入するディスク挿入口9が設けられている。またサブシャーシ５には、ディスク挿入口9とターンテーブル6との間においてディスクを搬送する送りローラ10とガイド11とが取付けられている。ガイド11はサブシャーシ5の上方に位置する支持板（ディスクガイド部材）12に取付けられている。前記送りローラ10は挿入口9より挿入されたディスクをガイド11に押付けるとともに、図示しない搬送用モータに回転駆動されてディスクをキャビネット1の内部に引き込んでゆく。支持板12の上面には、ターンテーブル6の左右において、上方向に傾斜して突出する案内部13ａを切起こし形成すると共に、鉤状の舌片13ｂを形成している。
【００１９】
前記支持板１２には、ターンテーブル６の左右において、一対のディスクセンサ１４、１５が回動自在に取付けられている。各ディスクセンサ１４、１５は、ディスク挿入口９の近傍まで延長された一端にディスク検出部１４ａ、１５ａを有し、図２および図３に示すように、各回動軸３４の軸心線を、ターンテーブル６の軸心線およびディスク挿入方向に直交する直線３５と、この直線３５に平行でターンテーブル６の外周にディスク挿入口９側で接する接線３６との間に位置付けている。そして各他端をターンテーブル６より奥まで延長させて、該他端に小径ディスクストッパ２１を下方へ向けて突出させている。また、前記サブシャーシ５の上面には、キャビネット１の奥側位置に、左右一対の大径ディスクストッパ２２、２２を突出させている。
各ディスクセンサ１４、１５の他端近傍部は、上方へたわみ易くするために細長い薄板部１４ｃ、１５ｃとしている。そして両ディスクセンサ１４、１５はＴ字型の連結板１６によって連結されている。連結板１６は、ディスク検出部１４ａ、１５ａ間がディスクによって押広げられたとき両ディスクセンサ１４、１５を同期回動させる同期機構を構成しているもので、前記両ディスク検出部１４ａ、１５ａは、連結板１６と支持板１２との間に掛け渡されたトーションばね１７により、互いに接近する方向に付勢されている。
【００２０】
さらに支持板12上には、一方のディスクセンサ14の隣接位置に、係止レバー18が、中間部を回動自在に支持されている。この係止レバー18には、一端に一方のディスクセンサ14のＵ字溝14ｂに嵌合するピン18aが形成され、他端にディスク挿入通路内に位置して搬送途中の大径ディスク29の外周に摺接する摺接ピン18bが形成されている。そして、通常はピン18aがディスクセンサ14に形成されたＵ字溝14bから離脱する方向に図示しない極めて弱いばねで回動付勢されているが、ピン１８ａがＵ字溝14bに挿入すると、両ディスクセンサ14、15は大径ディスク29に回動された位置に係止される。
【００２１】
図2および図３に示すように、一方のディスクセンサ14には、移動板19の一端が連結され、移動板19の他端にはターンテーブル6よりさらに奥側に位置するトリガレバー20が連結されている。トリガレバー２０の一端には、当接ピン20ａが設けられ、この当接ピン20ａをディスク挿入通路上に位置させている。そこで、送りローラ１０により引き込まれた大径ディスク２９の外周が当接ピン２０ａに当接すると、トリガレバー20が回動して、図示しないクランパ駆動機構や送りローラ解除機構を起動させる。
【００２２】
各ディスクセンサ１４、１５の薄板部１４ｃ、１５ｃは、前記舌片１３ｂによって上方へのたわみが禁止されている。
図２に仮想線で示すように、ディスク挿入口９より小径ディスク２８を挿入すると、両ディスク検出部１４ａ、１５ａ間が小径ディスク２８に押し広げられて、ディスクセンサ１４、１５が回動するが、その回動量が小さいため、薄板部１４ｃ、１５ｃが前記舌片１３ｂから外れることはない。
【００２３】
図３に仮想線で示すように、ディスク挿入口９より大径ディスク２９を挿入すると、両ディスク検出部１４ａ、１５ａ間が大径ディスク２９に押し広げられてディスクセンサ１４、１５が多量に回動する。そして薄板部１４ｃ、１５ｃが前記舌片１３ｂから外れ、続いて薄板部１４ｃ、１５ｃの下面が前記案内部１３ａに摺接する。なお、案内部１３ａと摺接する薄板部１４ｃ、１５ｃの下面部分を接触部１４ｄ、１５ｄ（図５参照）と称することとする。
【００２４】
図６に示すように、クランパ7には、ディスクの中心孔にぴったりと嵌合する円筒突出部23が形成され、この円筒突出部23の先端にテーパ面24が形成されている。また円筒突出部23の内方には凹部25が形成されている。そして、ターンテーブル6にはこの円筒突出部23を収容する収容凹部26と、この収容凹部26の内方に凹部25にぴたりと嵌り込んで嵌合する円筒部27とが形成されている。そして、大径または小径ディスク28、29が大径ディスクストッパ２２または小径ディスクストッパ２１に当接してディスクの搬送が停止された後、クランパ7がターンテーブル6に接近すると、テーパ面24がディスクの中心孔の縁に当接してディスクを僅かに引き戻し、ディスクを大径ディスクストッパ２２または小径ディスクストッパ２１から離反させた状態で、ターンテーブル６とクランパ７とで挟持する。
【００２５】
図７、８は、ディスク挿入口９より挿入された大径または小径ディスク28、29が再生位置まで搬送される過程を示している。図２に仮想線で示すように、ディスク挿入口９を通して小径ディスク28を送りローラ10とガイド11との間に挿入すると、両ディスクセンサ14、15は検出部14a、15b間を小径ディスク28の外周に押し広げられて僅かに回動する。そこでディスクセンサ14、15は図示しないスイッチを作動させ、搬送用モータを起動させる。そして、小径ディスク28は送りローラ10の回転により装置内に引き込まれて行く。このとき、小径ディスク28の中心位置がディスクセンサ14、15の両検出部14a、15aの間を通過すると、ディスクセンサ14、15はトーションばね１７の力で初期位置に復帰し、小径ディスク28は両小径ディスクストッパ２１に当接し、ターンテーブル６とクランパ７とで挟持可能な位置に留められる。
【００２６】
一方トリガレバー20は、当接ピン20aを小径ディスク28に押されて回動してクランパ駆動機構を起動させる。これによりクランパ7が下降してテーパ面24で小径ディスク28の中心をターンテーブル6の中心に一致させながら、ディスク28をターンテーブル６とクランパ７とで挟持する。
【００２７】
図３、４に仮想線で示すように、ディスク挿入口９を通して大径ディスク29を送りローラ10とガイド11との間に挿入すると、両ディスクセンサ14、15は検出部14a、15b間を大径ディスク29の外周に押し広げられて大きく回動する。そこでディスクセンサ14、15はスイッチを作動させ、搬送モータを起動させるので、大径ディスク29は搬送ローラ10の回転により装置内に引き込まれていく。その後、ディスクの最大径部が両検出片14a、15bの間を通過するが、このとき、大径ディスク29の外周は係止レバー18の摺接ピン18ｂが係合して係止レバー18を図中反時計方向に回動させる。そしてピン18aがディスクセンサ１４のＵ字溝14b内に入り込み、両ディスクセンサ１４、１５およびトリガレバー２０は回動位置に保持される。
【００２８】
一方、ディスクセンサ14、15が大径ディスク２９の挿入によって多量に回動するとき接触部１４ｄ、１５ｄ（図５参照）が案内部１３ａ、１３ａに摺接し、薄板部14c、15cが上方向に弾性変形する。この結果、小径ディスクストッパ２１は、図８に示すように大径ディスク２９の挿入通路から上方へ退避する。そして、大径ディスク29は小径ディスクストッパ２１の下方を通過し、その中心がターンテーブル6の中心を僅かに越えたところで、大径ディスク29の外周が大径ディスクストッパ２２に当接し、該ディスク２９はターンテーブル６とクランパとで挟持可能な位置に留められる。
また、トリガレバー２０の回動により、クランパ駆動機構が起動してクランパ7を下降させ、大径ディスク２９をターンテーブル6とクランパ7とで挟持する。
以上のように、従来装置よりも回動軸３４の軸心線を各ディスクセンサ１４、１５の奥、すなわちターンテーブル６の軸心線およびディスク挿入方向に直交する直線３５とこの直線に平行でターンテーブル６の外周にディスク挿入口９側で接する接線３６との間に位置付けたことにより、小径ディスクストッパ２１がディスクセンサ１４、１５と一体に回動した際、小径ディスクストッパ２１の最大移動量を小さく抑えることができ、車載用の大小ディスク再生装置にも適用可能となった。また、この構成では小径ディスクストッパ２１がディスクセンサ１４、１５と一体化され、連動板も省略できるので部品点数を削減でき、構成を簡素化できる。更に、ディスクセンサ１４、１５、小径ディスクストッパ２１および連動板の三者を関連動作させることも不要となり一層構成を簡素化できる。
【００２９】
また、支持板12の上面のターンテーブル6の左右において、上方向に傾斜して突出する案内部13ａを切起こし形成することによって案内部13ａを容易に形成できる。
【００３０】
各ディスクセンサ１４、１５の他端近傍部を細長い薄板部１４ｃ、１５ｃとして上方へたわみ易くしたこのことにより、ディスクセンサ１４、１５の強度は損なわれない。なお、ディスクストッパ２２を有する他端部のみを板ばね等で形成することも可能である。
【００３１】
ディスクを案内する既存のディスクガイド部材を支持板１２としたので、部品点数の増加を抑えることができ、構成を簡素化できる。
【００３２】
次に本発明の第２の実施の形態について図９を参照して説明する。
第１の実施の形態では、支持板１２上面の案内部１３ａを上方向へ傾斜して突出させたが、第２の実施の形態では、支持板２１２側の案内部２１３ａは特に突出させず、ディスクセンサ２１４、２１５の薄板部２１４ｃ、２１５ｃ側に設けられる接触部２１４ｄ、２１５ｄの方を、下方向へ傾斜して突出させるものとする。
このような構成であっても、ディスクセンサ２１４、２１５が大径ディスク２９の挿入により多量に回動した際、接触部２１４ｄ、２１５ｄと案内部２１３ａとの摺接によりディスクセンサ２１４、２１５の薄板部２１４ｃ、２１５ｃが上方へ弾性変形して小径ディスクストッパ２１を大径ディスク２９の挿入通路から上方へ退避させることができ、第１の実施の形態と同様の効果を得ることができる。
【００３３】
次に本発明の第３の実施の形態について図１０を参照して説明する。
第１の実施の形態では、大径ディスク２９の挿入により、接触部１４ｄ、１５ｄと案内部とを摺接させて、ディスクセンサ14、15の薄板部１４ｃ、１５ｃを上方へ弾性変形させ、小径ディスクストッパ２１を大径ディスク２９の挿入通路から退避させるものとしたが、第３の実施の態様ではディスクセンサ14、15の他端部を薄板部とせず、ディスクセンサ14、15自体を回動軸心線方向に移動自在とし、かつ、ばね部材３３３によりディスクセンサ14、15を定位置に保持するものとする。
このような構成にすると、接触部３１４ｄが支持板３１２側の案内部３１３ａに摺接した際、ディスクセンサ３１４全体がばね部材３３３に抗して上方へ移動するので、第１の実施の形態と同様、大径ディスク２９の挿入時に、小径ディスクストッパ２１を大径ディスク２９の挿入通路から上方へ退避させることができる。
【００３４】
次に本発明の第４の実施の形態について図１１を参照して説明する。
第１の実施の形態では、左右のディスクセンサ14、15を同期回動させるための同期機構をＴ字型の連動板１６によって構成したが、第４の実施の態様では、  互いに噛合する一対の連動ギヤ３７、３８を支持板１２に回転自在に取付け、各ディスクセンサ１４、１５には各連動ギヤ３７、３８と噛合する円弧ギヤ部３９、４０を同軸に形成し、これら一対の連動ギヤ３７、３８と両ディスクセンサ１４、１５の円弧ギヤ部３９、４０とで前記同期機構を構成するものとする。
このように構成することにより、次のような効果が得られる。
すなわち、第１の実施の態様では、Ｔ字型の連結板１６と、一対のディスクセンサ14、15と、トーションばね１７とを、相互の位置関係を維持しながら支持板１２上に同時に組み込まねばならず、しかも各ディスクセンサ14、15を支持板１２と舌片１３ｂとの間に挿入しなければならないため、組立てが困難であったが、第４の実施の形態では、各一対のディスクセンサ14、15と連動ギヤ３７、３８とを支持板１２に対して別々に取付けることも可能となり、組み立て作業が容易になった。
【図面の簡単な説明】
【００３５】
【図１】本発明の第１の実施の形態を示す斜視図。
【図２】小径ディスク挿入時の状態を示す平面図。
【図３】大径ディスク挿入時の状態を示す斜視図。
【図４】大径ディスク挿入時の状態を示す平面図。
【図５】接触部と案内部との関係を示す背面図。
【図６】ターンテーブルとクランパとの関係を示す側面図。
【図７】小径ディスク挿入時の状態を示す側面図。
【図８】大径ディスク挿入時の状態を示す側面図。
【図９】第２の実施の形態における接触部と案内部との関係を示す背面図
【図１０】第３の実施の形態のおける大径ディスク挿入時の状態を示す側面図。
【図１１】第４の実施の形態を示す斜視図。
【符号の説明】
【００３６】
６              ターンテーブル
７              クランパ
９              ディスク挿入口
１２            支持板（ディスクガイド部材）
１３ａ          案内部
１４、１５      ディスクセンサ
１４ａ、１５ａ  ディスク検出部
１４ｄ、１５ｄ  接触部
２１            小径ディスクストッパ
２２            大径ディスクストッパ
２８            小径ディスク
２９            大径ディスク
３４            回動支点
３５            直線
３６            接線
３７、３８      連動ギヤ
３９、４０      円弧ギヤ部
【図１】
2005063671.tif 000003
【図２】
2005063671.tif 000004
【図３】
2005063671.tif 000005
【図４】
2005063671.tif 000006
【図５】
2005063671.tif 000007
【図６】
2005063671.tif 000008
【図７】
2005063671.tif 000009
【図８】
2005063671.tif 000010
【図９】
2005063671.tif 000011
【図１０】
2005063671.tif 000012
【図１１】
2005063671.tif 000013